(57)【要約】【課題】  基礎見切りの外面と隅用見切り材の外面とを綺麗に面一とでき、尚且つ第１の基礎見切りと第２の基礎見切りとが連続したような外観とすることができ、しかも隅用見切り材の製造コストを大幅に削減できる基礎見切りの接続構造を提供する。【解決手段】  基礎１上に外壁５０を形成した建物の隅部２を挟んだ両側の外壁部３、４の内、一方の外壁部３に沿って配設された第１の基礎見切り５の隅部２側の端部と、他方の外壁部４に沿って配設された第１の基礎見切り５と縦断面同一の第２の基礎見切り６の隅部２側の端部とを、第１の基礎見切り５及び第２の基礎見切り６と縦断面同一で同一部材からなる隅用見切り材７、８を介して接続する。【選択図】        図１
2006125045.tif 000002
【特許請求の範囲】
【請求項１】
基礎上に外壁を形成した建物の出隅又は入隅からなる隅部を挟んだ両側の外壁部の内、一方の外壁部に沿って配設されて同外壁部の下端部と基礎の上端部との間を屋外側から覆う長尺な第１の基礎見切りの隅部側の端部と、他方の外壁部に沿って配設されて同外壁部の下端部と基礎の上端部との間を屋外側から覆う前記第１の基礎見切りと縦断面同一の長尺な第２の基礎見切りの隅部側の端部とを隅用見切り材を介して接続して成る基礎見切りの接続構造であって、前記第１の基礎見切り及び第２の基礎見切りを、内面に長手方向全長に亙って溝又は孔からなる嵌込部を形成した長尺な押出形材からなるものとし、該押出形材と材質及び縦断面が同一の押出形材を切断して、一方の端面が前記押出形材の長手方向に対して垂直な垂直端面となり且つ他方の端面が平面視で前記押出形材の長手方向に対して４５°傾斜した傾斜端面となる前記両基礎見切りと縦断面同一の第１の隅用見切り材と、一方の端面が前記押出形材の長手方向に対して垂直な垂直端面となり且つ他方の端面が平面視で前記押出形材の長手方向に対して前記第１の隅用見切り材の傾斜端面とは反対側に４５°傾斜した傾斜端面となる前記両基礎見切りと縦断面同一の第２の隅用見切り材とを形成し、第１の基礎見切りのその長手方向に対して垂直な隅部側の端面と第１の隅用見切り材の前記垂直端面とを突き合わせると共に、第１の基礎見切りの長手方向と平行な直線状の接続部材の片側を第１の基礎見切りの嵌込部に嵌め込み且つ他側を第１の隅用見切り材の嵌込部に嵌め込んで第１の基礎見切りと第１の隅用見切り材を連結すると共に、第１の隅用見切り材の前記傾斜端面と第２の隅用見切り材の前記傾斜端面を突き合わせると共に、平面視Ｌ字状の連結部材の一片を第１の隅用見切り材の嵌込部に嵌め込み且つ他片を第２の隅用見切り材の嵌込部に嵌め込んで第１の隅用見切り材と第２の隅用見切り材を連結すると共に、第２の隅用見切り材の前記垂直端面と第２の基礎見切りのその長手方向に対して垂直な隅部側の端面を突き合わせると共に、第２の基礎見切りの長手方向と平行な直線状の接続部材の片側を第２の隅用見切り材の嵌込部に嵌め込み且つ他側を第２の基礎見切りの嵌込部に嵌め込んで第２の隅用見切り材と第２の基礎見切りとを連結して成ることを特徴とする基礎見切りの接続構造。
【請求項２】
上記第１の隅用見切り材及び第２の隅用見切り材の嵌込部として、第１の隅用見切り材及び第２の隅用見切り材の夫々の内面に縦断面縦長の溝又は孔からなる縦長嵌込部と縦断面横長の溝又は孔からなる横長嵌込部を形成し、平面視Ｌ字状で且つ垂直板状の第１の連結部材の一片を第１の隅用見切り材の縦長嵌込部に嵌め込み且つ他片を第２の隅用見切り材の縦長嵌込部に嵌め込むと共に、平面視Ｌ字状で且つ水平板状の第２の連結部材の一片を第１の隅用見切り材の横長嵌込部に嵌め込み且つ他片を第２の隅用見切り材の横長嵌込部に嵌め込んで成ることを特徴とする請求項１に記載の基礎見切りの接続構造。
【発明の詳細な説明】
【技術分野】
【０００１】
本発明は、建物の隅部を挟んだ両側の外壁部の内、一方の外壁部に沿って配設された第１の基礎見切りと、他方の外壁部に沿って配設された第２の基礎見切りとを隅用見切り材にて平面視Ｌ字状に接続する基礎見切りの接続構造に関する。
【背景技術】
【０００２】
基礎上に外壁を形成してなる建物にあっては、従来から建物の外壁の下端部に沿って基礎の上端部と外壁の下端部との間を覆う長尺な基礎見切りを配設することが行われている。
【０００３】
ところで上記建物の出隅又は入隅からなる隅部にあっては、該隅部を挟んだ両側の外壁部に沿って配設された第１の基礎見切り及び第２の基礎見切りの隅部側の端部間を平面視Ｌ字状のカバー材にて覆うことが一般的に行われており、例えば特許文献１にあっては、建物の隅部の屋外側に配されたカバー材の第１の基礎見切り側の端部を第１の基礎見切りの長手方向における隅部側の端部外面に重ね合わせると共に、該カバー材の第２の基礎見切り側の端部を第２の基礎見切りの長手方向における隅部側の端部外面に重ね合わせ、この後カバー材を外壁に固着することでカバー材を取付けており、該カバー材にて第１の基礎見切りの隅部側の端部と第２の基礎見切りの隅部側の端部間の隙間を覆っている。
【０００４】
しかし上記特許文献１にあっては、カバー材の第１の基礎見切り側の端部を第１の基礎見切り側の端部外面に重ね合わせると共にカバー材の第２の基礎見切り側の端部を第１の基礎見切り側の端部外面に重ね合わせているため、基礎見切りの外面とカバー材の外面とが面一とならず、外観が損なわれていた。また一般的に上記第１の基礎見切り及び第２の基礎見切りはアルミニウム製又はアルミニウム合金製の押出形材からなり、これに対してカバー材は合成樹脂製である。これはカバー材はその第１の基礎見切り側の半部の縦断面を第１の基礎見切りの縦断面に対応した形状とし且つ第２の基礎見切り側の半部の縦断面を第２の基礎見切りの縦断面に対応した形状とする必要があり、カバー材を基礎見切りのように押出形材にて形成できないためであるが、このようにカバー材の材質を基礎見切りの材質と異ならせた場合には、基礎見切りとカバー材の外観が大きく異なるため第１の基礎見切り及び第２の基礎見切りが連続したように見えず外観が悪く、またこの場合、基礎見切りを製造する製造設備に加えてカバー材を製造する製造設備が新たに必要となるため、カバー材の製造コストがかかる。
【特許文献１】特開平９−４２０４号公報
【発明の開示】
【発明が解決しようとする課題】
【０００５】
本発明は上記従来の問題点に鑑みて発明したものであって、第１の基礎見切りと第２の基礎見切りとを外面を面一とした連続したような外観とすることができ、しかも製造コストを大幅に削減でき、さらには簡単に施工が行える基礎見切りの接続構造を提供することを課題とする。
【課題を解決するための手段】
【０００６】
上記課題を解決するために本発明に係る基礎見切りの接続構造は、基礎１上に外壁５０を形成した建物の出隅又は入隅からなる隅部２を挟んだ両側の外壁部３、４の内、一方の外壁部３に沿って配設されて同外壁部３の下端部と基礎１の上端部との間を屋外側から覆う長尺な第１の基礎見切り５の隅部２側の端部と、他方の外壁部４に沿って配設されて同外壁部４の下端部と基礎１の上端部との間を屋外側から覆う前記第１の基礎見切り５と縦断面同一の長尺な第２の基礎見切り６の隅部２側の端部とを隅用見切り材７、８を介して接続して成る基礎見切りの接続構造であって、前記第１の基礎見切り５及び第２の基礎見切り６を、内面に長手方向全長に亙って溝又は孔からなる嵌込部２１を形成した長尺な押出形材２２からなるものとし、該押出形材２２と材質及び縦断面が同一の押出形材２２を切断して、一方の端面７ａが前記押出形材２２の長手方向に対して垂直な垂直端面となり且つ他方の端面７ｂが平面視で前記押出形材２２の長手方向に対して４５°傾斜した傾斜端面となる前記両基礎見切り５、６と縦断面同一の第１の隅用見切り材７と、一方の端面８ａが前記押出形材２２の長手方向に対して垂直な垂直端面となり且つ他方の端面８ｂが平面視で前記押出形材２２の長手方向に対して前記第１の隅用見切り材７の傾斜端面７ｂとは反対側に４５°傾斜した傾斜端面となる前記両基礎見切り５、６と縦断面同一の第２の隅用見切り材８とを形成し、第１の基礎見切り５のその長手方向に対して垂直な隅部２側の端面と第１の隅用見切り材７の前記垂直端面７ａとを突き合わせると共に、第１の基礎見切り５の長手方向と平行な直線状の接続部材４２ａ、４２ｂの片側を第１の基礎見切り５の嵌込部２１に嵌め込み且つ他側を第１の隅用見切り材７の嵌込部２１に嵌め込んで第１の基礎見切り５と第１の隅用見切り材７を連結すると共に、第１の隅用見切り材７の前記傾斜端面７ｂと第２の隅用見切り材８の前記傾斜端面８ｂを突き合わせると共に、平面視Ｌ字状の連結部材４３ａ、４３ｂの一片４６、４８を第１の隅用見切り材７の嵌込部２１に嵌め込み且つ他片４７、４９を第２の隅用見切り材８の嵌込部２１に嵌め込んで第１の隅用見切り材７と第２の隅用見切り材８を連結すると共に、第２の隅用見切り材８の前記垂直端面８ａと第２の基礎見切り６のその長手方向に対して垂直な隅部２側の端面を突き合わせると共に、第２の基礎見切り６の長手方向と平行な直線状の接続部材４２ｃ、４２ｄの片側を第２の隅用見切り材の嵌込部２１に嵌め込み且つ他側を第２の基礎見切り６の嵌込部２１に嵌め込んで第２の隅用見切り材８と第２の基礎見切り６とを連結して成るものである。
【０００７】
上記構成により、第１の基礎見切り５の外面と第１の隅用見切り材７の外面及び第２の基礎見切り６の外面と第２の隅用見切り材８の外面を面一とでき、また第１の隅用見切り材７及び第２の隅用見切り材８の材質を第１の基礎見切り５及び第２の基礎見切り６の材質と同じものとしているので第１の基礎見切り５と第２の基礎見切り６とが連続したような外観とすることができ、上記により外観を大幅に向上できる。さらには第１の隅用見切り材７及び第２の隅用見切り材８はともに材質が同じで縦断面同一の押出形材２２から成るため、第１の隅用見切り材７及び第２の隅用見切り材８を第１の基礎見切り５及び第２の基礎見切り６と同じ製造設備で製造することができて隅用見切り材の製造コストを削減でき、またこれにより第１の基礎見切り５、第２の基礎見切り６、第１の隅用見切り材７、第２の隅用見切り材８を同一条件で製造できて寸法誤差が小さいものとでき、この点からも第１の基礎見切り５の外面と第１の隅用見切り材７の外面及び第２の基礎見切り６の外面と第２の隅用見切り材８の外面を面一とできる。さらには上記のように基礎見切り５、６を形成する押出形材２２と縦断面及び材質が同一の押出形材２２を切断するだけで第１の隅用見切り材７及び第２の隅用見切り材８が得られるようにしたにも関わらず、この第１の隅用見切り材７と第２の隅用見切り材８との連結は上記平面視Ｌ字状の連結部材４３ａ、４３ｂを用いるだけで簡単に行うことができる。
【０００８】
また上記第１の隅用見切り材７及び第２の隅用見切り材８の嵌込部２１として、第１の隅用見切り材７及び第２の隅用見切り材８の夫々の内面に縦断面縦長の溝又は孔からなる縦長嵌込部２１ａと縦断面横長の溝又は孔からなる横長嵌込部２１ｂを形成し、平面視Ｌ字状で且つ垂直板状の第１の連結部材４３ａの一片４６を第１の隅用見切り材７の縦長嵌込部２１ａに嵌め込み且つ他片４７を第２の隅用見切り材８の縦長嵌込部２１ａに嵌め込むと共に、平面視Ｌ字状で且つ水平板状の第２の連結部材４３ｂの一片４８を第１の隅用見切り材７の横長嵌込部２１ｂに嵌め込み且つ他片４９を第２の隅用見切り材８の横長嵌込部２１ｂに嵌め込むことも好ましい。
【０００９】
上記構成により第１の隅用見切り材７及び第２の隅用見切り材８を平面視Ｌ字状で且つ垂直板状の上下方向に変形し難い第１の連結部材４３ａと平面視Ｌ字状で且つ水平板状の水平方向に変形し難い第２の連結部材４３ｂとで連結することができ、これにより第１の隅用見切り材７と第２の隅用見切り材８との連結を単純な形状の連結部材４３ａ、４３ｂを用いて強固にできる。
【発明の効果】
【００１０】
本発明では第１の基礎見切りと第２の基礎見切りとを外面を面一として連続したような外観とすることができ、しかもコストを大幅に削減でき、さらには簡単な施工により第１の基礎見切りと第２の基礎見切りを連結できる。
【発明を実施するための最良の形態】
【００１１】
以下、本発明を添付図面に示す実施形態に基いて説明する。本実施形態の基礎見切りの接続構造は、図１に示すように基礎１上に外壁５０を形成した建物の平面視直角の隅部２を挟んだ両側の外壁部３、４の内、一方の外壁部３に沿って配設されて同外壁部３の下端部と基礎１の上端部との間を屋外側から覆う長尺な第１の基礎見切り５の端部と、他方の外壁部４に沿って配設されて同外壁部４の下端部と基礎１の上端部との間を屋外側から覆う前記第１の基礎見切り５と縦断面同一の長尺な第２の基礎見切り６の端部とを隅用見切り材７、８を介して接続して成るものであり、以下上記隅部２を出隅とした実施例について説明する。なお上記基礎１は布基礎又はべた基礎の外周部又はべた基礎の外周部に設けた立上部とする。
【００１２】
外壁５０は例えば基礎１上に立設された複数の外壁パネル２０にて構成されている。外壁パネル２０は図２に示すように、矩形枠状で木製のパネル枠１３と、パネル枠１３の屋内側の面に貼着した内装材１４と、パネル枠１３の屋外側の面に貼着した外装材１５と、矩形枠状のパネル枠１３によって囲まれた空所に配設した断熱材１６と、で構成され、その下端面を形成するパネル枠１３の下面には外壁パネル２０の幅方向全長に亘って凹溝１７を形成している。また外壁パネル２０のパネル枠１３の下枠１８の下部は外装材１５の下端よりも下方に突出しており、外壁パネル２０の屋外側の面の下端には外壁パネル２０の幅方向全長に亘って屋内側に凹む段部１９が形成されている。
【００１３】
上記各外壁パネル２０は基礎１に載設した土台金具９を介して基礎１に立設されており、土台金具９は縦断面Ｌ字状で且つ対応する外壁パネル２０の幅方向（平面視で外壁パネル２０の厚み方向に直交する方向）に長尺な部材からなり、その横片部１０は基礎１の上面に載置され、該横片部１０を貫通する基礎１に植設したアンカーボルト１１及び該アンカーボルト１１に螺合したナット１２により基礎１の上端面部に固定されている。そしてこの縦断面Ｌ字状の土台金具９の縦片部１１の上端部を前述した外壁パネル２０の凹溝１７に嵌め込むことで各外壁パネル２０は基礎１上に立設されている。
【００１４】
上記複数の外壁パネル２０にて構成された外壁５０の建物の出隅からなる隅部２を挟んだ両側の外壁部３、４の内、一方の外壁部３の下端部には第１の基礎見切り５が、他方の外壁部４の下端部には第２の基礎見切り６が取付けられるのだが、ここで第１の基礎見切り５及び第２の基礎見切り６の夫々は、内面に長手方向全長に亙って溝からなる嵌込部２１を形成した金属製（具体的にはアルミニウム製又はアルミニウム合金製）の長尺な押出形材２２（図４参照）を切断してなる。また上記第１の基礎見切り５の隅部２側の端部と第２の基礎見切り６の隅部２側の端部は、該端部間に介装された後述する出隅用の第１の隅用見切り材７及び第２の隅用見切り材８を介して接続されるのだが、この第１の隅用見切り材７及び第２の隅用見切り材８は、前記第１の基礎見切り５及び第２の基礎見切り６を形成する押出形材２２と材質及び縦断面が同一の押出形材２２を切断して形成されるものである。即ち、第１の基礎見切り５、第２の基礎見切り６、第１の隅用見切り材７、第２の隅用見切り材８、は全て同じ材質からなり、第１の基礎見切り５の縦断面、第２の基礎見切り６の縦断面、第１の隅用見切り材７の縦断面、第２の隅用見切り材８の縦断面、は全て同一である。
【００１５】
以下、上記第１の基礎見切り５、第２の基礎見切り６、第１の隅用見切り材７、第２の隅用見切り材８を形成する押出形材２２について説明する。なお以下の押出形材２２の説明に用いられる方向は、該押出形材２２を切断して形成された第１の基礎見切り５、第２の基礎見切り６、第１の隅用見切り材７、第２の隅用見切り材８、を後述のように施工した状態における方向を基準とし、即ち押出形材２２の平面視で長手方向に直交する方向を屋内外方向とし、該屋内外方向における一方を屋内側とし、他方を屋外側とするものである。、
図４に示すように押出形材２２は縦断面がその長手方向全長に亘って同一で、本体部２３の上端部から屋内側に向けて延設片２６を延設してなるものである。本体部２３は、略縦片状の上部片２４と、上部片２４の下端から屋外側の斜め下方に向けて突出した傾斜片２５と、傾斜片２５の屋外側の端から下方に突出した下部片２７とから成る。
【００１６】
上部片２４は、上縦片部２８と、上縦片部２８の下端から屋内側に突出した中横片部２９と、中横片部２９の屋内側の端から下方に突出した下縦片部３０と、中横片部２９の屋内側の端から上方に突出した垂上片部３１とからなり、前記中横片部２９と下縦片部３０と傾斜片２５とで押出形材２２の屋外側の面に開口する溝３２を形成している。この溝３２は該押出形材２２を切断して形成された第１の基礎見切り５、第２の基礎見切り６、第１の隅用見切り材７、第２の隅用見切り材８において水切り溝として機能するものである。
【００１７】
下部片２７は、傾斜片２５の屋外側の端から下方に突出した下部縦片部３３と、下部縦片部３３の下端よりも上方位置の下部から屋内側に向けて突出した下部横片部３４と、下部横片部３４の屋内側の端から下方に突出した下部垂下片部３５と、下部垂下片部３５の下端から屋外側に突出する屋内側横片部３６と、下部縦片部３３の下部横片部３４よりも下方に突出する部分における前記屋内側横片部３６に対向する位置から屋内側に向けて突出する屋外側横片部３７と、からなり、前記下部横片部３４、下部縦片部３３の下部横片部３４よりも下方に突出する部分の基部、下部垂下片部３５、屋内側横片部３６、屋外側横片部３７によって押出形材２２の下部の屋内側に下方に開口する縦断面横長の溝からなる横長嵌込部２１ｂを形成している。
【００１８】
延設片２６は、上部片２４の上端から屋内側に向けて突出した略横片状の横片状部３８と、上下方向における中央部が横片状部３８の屋内側の端に接続された縦片状部３９と、横片状部３８の屋内外方向における中央部から下方に突出した垂下片部４０とから成り、横片状部３８の垂下片部４０よりも屋外側の部分は屋内側の部分よりも１段高くなっている。これにより前記垂下片部４０、横片状部３８の垂下片部４０よりも屋外側の部分、上部片２４の上縦片部２８、中横片部２９、垂上片部３１によって、押出形材２２の上部の屋内側に屋内側に開口すると共に前記横長嵌込部２１ｂよりも屋内側に位置する縦断面縦長の溝からなる縦長嵌込部２１ａを形成している。即ち本実施形態では縦長嵌込部２１ａと前述した横長嵌込部２１ｂとで既述の嵌込部２１を構成している。
【００１９】
そして上記縦断面形状を有する押出形材２２を以下に示すように切断して第１の基礎見切り５、第２の基礎見切り６、第１の隅用見切り材７、第２の隅用見切り材８の夫々を形成する。
【００２０】
第１の基礎見切り５及び第２の基礎見切り６の夫々は、前記押出形材２２の長手方向に離れた２箇所の夫々を平面視で押出形材２２の長手方向に対して直交する方向に切断して得られるものであって、その両端面は平面視で押出形材２２の長手方向に垂直な垂直端面となっている。
【００２１】
第１の隅用見切り材７は、図５に示すように押出形材２２の長手方向に離れた２箇所の内、一方箇所を図中ニに示すように平面視で押出形材２２の長手方向に対して直交する方向に切断すると共に、他方箇所を図中ロに示すように平面視で押出形材２２の長手方向に対して４５°傾斜した方向に切断して得られるものであって、一方の端面７ａが押出形材２２の長手方向（即ち施工後における第１の基礎見切り５の長手方向）に対して垂直な垂直端面となり且つ他方の端面７ｂが平面視で前記押出形材２２の長手方向に対して４５°傾斜した傾斜端面となっており、平面視台形状である。
【００２２】
第２の隅用見切り材８は、図５に示すように前記押出形材２２の長手方向に離れた２箇所の内、一方箇所を図中ホに示すように平面視で押出形材２２の長手方向に対して直交する方向に切断すると共に、他方箇所を図中ハに示すように平面視で押出形材２２の長手方向に対して前記第１の隅用見切り材７の傾斜端面７ｂを形成するに際して切断した方向とは反対側に４５°傾斜した方向に切断して得られるものであって、一方の端面８ａが前記押出形材２２の長手方向（即ち施工後における第２の基礎見切り６の長手方向）に対して垂直な垂直端面となり且つ他方の端面８ｂが平面視で前記押出形材２２の長手方向に対して前記第１の隅用見切り材７の傾斜端面とは反対側に４５°傾斜した傾斜端面となっており、平面視台形状である。
【００２３】
ここで上記第１の隅用見切り材７及び第２の隅用見切り材８の製造につき詳述する。第１の隅用見切り材７及び第２の隅用見切り材８を製造するにあたっては、図５に示すように、押出形材２２の長手方向における１箇所を平面視で押出形材２２の長手方向に対して直交する切断線イ（以下、垂直切断線イという）で切断すると共に、この垂直切断線イの片側で平面視で押出形材２２の長手方向に対して４５°傾斜した切断線ロ（以下、傾斜切断線ロという）で切断すると共に、垂直切断線イの他側で平面視で押出形材２２の長手方向に対して前記傾斜切断線ロとは反対側に４５°傾斜した切断線ハ（以下傾斜切断線ハという）で切断すると共に、押出形材２２の長手方向における両傾斜切断線ロ、ハの外側で平面視で押出形材２２の長手方向に対して直交する切断線ニ、ホ（以下、垂直切断線ニ、ホという）で切断し、これにより４つの隅用見切り材５１ａ〜ｄを形成し、これら隅用見切り材５１ａ〜ｄの内、図５における外側２つの隅用見切り材５１ａ、５１ｄ、即ち垂直切断線ニ及び傾斜切断線ロによって形成された両端面を有する隅用見切り材５１ａ、該隅用見切り材５１ａと垂直切断線イ（即ち施工状態における突き合わせ端面７ｂ、８ｂ）を対称軸として線対称形状となった垂直切断線ホ及び傾斜切断線ハによって形成された両端面を有する隅用見切り材５１ｄ、の夫々を上記出隅用の第１の隅用見切り材７及び第２の隅用見切り材８とするものである。
【００２４】
ここで前記押出形材２２の切断により形成された４つの隅用見切り材５１ａ〜５１ｄの内、上記出隅用の第１の隅用見切り材７及び第２の隅用見切り材８として使用されない内側２つの隅用見切り材５１ｂ、５１ｃ、即ち傾斜切断線ロ及び垂直切断線イによって形成された両端面を有する隅用見切り材５１ｂと、該隅用見切り材５１ｂと垂直切断線イを対称軸として線対称形状となった傾斜切断線ハ及び垂直切断線イによって形成された両端面を有する隅用見切り材５１ｃの夫々は後述する入隅用の第１の隅用見切り材７′及び第２の隅用見切り材８′として使用されるものである。即ち本実施形態では上記のように押出形材２２を切断して４つの隅用見切り材５１ａ〜ｄを形成することで、出隅用の第１の隅用見切り材７及び第２の隅用見切り材８と、入隅用の第１の隅用見切り材７′及び第２の隅用見切り材８′を同時に形成できるものであり、この場合切断工程を削減でき、また部材コストも削減できる。
【００２５】
上記のように形成された第１の基礎見切り５及び第２の基礎見切り６と、第１の隅用見切り材７及び第２の隅用見切り材８を施工するには、図１に示された第１の基礎見切り５の長手方向と平行な直線状で且つ垂直板状の第１の接続部材４２ａと、第１の基礎見切り５の長手方向と平行な直線状で且つ水平板状の第２の接続部材４２ｂと、第２の基礎見切り６の長手方向と平行な直線状で且つ垂直板状の第３の接続部材４２ｃと、第２の基礎見切り６の長手方向と平行な直線状で且つ水平板状の第４の接続部材４２ｄと、平面視Ｌ字状で且つ垂直板状の第１の連結部材４３ａと、平面視Ｌ字状で且つ水平板状の第２の連結部材４３ｂと、を用いる。ここで上記第１の接続部材４２ａ及び第３の接続部材４２ｃの縦断面と、第１の連結部材４３ａの縦断面は、前述した縦長嵌込部２１ａの縦断面と略同一であり、また上記第２の接続部材４２ｂ及び第３の接続部材４２ｃの縦断面と、第２の連結部材４３ｂの縦断面は、前述した横長嵌込部２１ｂの縦断面と略同一であり、各接続部材４２ａ〜ｄ及び各連結部材４３ａ、４３ｂは嵌込部２１ａ、２１ｂに隙間なくぴったりと嵌め込むことができるようになっている。
【００２６】
以下第１の基礎見切り５、第２の基礎見切り６、第１の隅用見切り材７、第２の隅用見切り材８の施工の一例を示す。なお以下の説明では、第１の基礎見切り５、第２の基礎見切り６、第１の隅用見切り材７、第２の隅用見切り材８の各部を押出形材２２の各部と同じ名称とし、同じ符号を付して説明する。
【００２７】
まず第１の基礎見切り５を隅部２を挟む両側の外壁部３、４の内、一方の外壁部３に沿って配置し、同外壁部３に取付ける。この時第１の基礎見切り５の隅部２側の端面は他方の外壁部４の屋外側の面よりもやや屋内側に控えた箇所に位置するものとする。ここで上記第１の基礎見切り５の外壁部３への取付けは、図２に示すように第１の基礎見切り５の延設片２６の縦片状部３９を前述した外壁パネル２０の段部１９の奥面（下枠１８の屋外側の面）に沿わせ、縦片状部３９の横片状部３８よりも上方に突出した部分の屋外側の面に形成したＵ溝４４（図４参照）に屋外側から釘４５を打入して該釘４５の先端部を外壁パネル２０の下枠１８（下端部）に固着することで、外壁パネル２０に取付けられているものとする。
【００２８】
次に第１の基礎見切り５のその長手方向に対して垂直な隅部２側の端面の全部と第１の隅用見切り材７の前記垂直端面７ａの全部とを突き合わせ、同時に第１の接続部材４２ａの第１の基礎見切り５側の片側半部を第１の基礎見切り５の縦長嵌込部２１ａに嵌め込み且つ反対側の他側半部を第１の隅用見切り材７の縦長嵌込部２１ａに嵌め込むと共に、第２の接続部材４２ｂの第１の基礎見切り５側の片側半部を第１の基礎見切り５の横長嵌込部２１ｂに嵌め込み且つ反対側の他側半部を第１の隅用見切り材７の横長嵌込部２１ｂに嵌め込んで、第１の基礎見切り５と第１の隅用見切り材７を連結する。
【００２９】
次に第１の隅用見切り材７の傾斜端面７ｂの全部と第２の隅用見切り材８の傾斜端面８ｂの全部を突き合わせて第１の隅用見切り材７と第２の隅用見切り材８とを組み合わせた平面形状をＬ字状とし、同時に平面視Ｌ字状の第１の連結部材４３ａの一片４６を第１の隅用見切り材７の縦長嵌込部２１ａに嵌め込み且つ他片４７を第２の隅用見切り材８の縦長嵌込部２１ａに嵌め込むと共に、平面視Ｌ字状の第２の連結部材４３ｂの一片４８を第１の隅用見切り材７の横長嵌込部２１ｂに嵌め込み且つ他片４９を第２の隅用見切り材８の横長嵌込部２１ｂに嵌め込んで、第１の隅用見切り材７と第２の隅用見切り材８とを連結する。
【００３０】
次に第２の隅用見切り材８の垂直端面８ａの全部と第２の基礎見切り６のその長手方向に対して垂直な隅部２側の端面の全部を突き合わせ、同時に第３の接続部材４２ｃの第２の基礎見切り６側の片側半部を第２の基礎見切り６の縦長嵌込部２１ａに嵌め込み且つ反対側の他側半部を第２の隅用見切り材８の縦長嵌込部２１ａに嵌め込むと共に、第４の接続部材４２ｄの第２の基礎見切り６側の片側半部を第２の基礎見切り６の横長嵌込部２１ｂに嵌め込み且つ反対側の他側半部を第２の隅用見切り材８の横長嵌込部２１ｂに嵌め込んで、第２の隅用見切り材８と第２の基礎見切り６とを連結する。この時第２の基礎見切り６の隅部２側の端面は一方の外壁部３（第１の基礎見切り５を取付けた外壁部３）の屋外側の面よりもやや屋内側に控えた箇所に位置する。
【００３１】
次にこの第２の基礎見切り６を、隅部２を挟んだ両側の外壁部３、４の内、前記第１の基礎見切り５を取付けていない他方の外壁部４に取付ける。ここで第２の基礎見切り６の外壁部４への取り付けは、第１の基礎見切り５と同様、図２に示すように第２の基礎見切り６の延設片２６の縦片状部３９を外壁パネル２０の段部１９の奥面に沿わせ、縦片状部３９の横片状部３８よりも上方に突出した部分の屋外側の面に形成したＵ溝４４に屋外側から釘４５を打入して該釘４５の先端部を外壁パネル２０の下枠１８に固着することで、外壁パネル２０に取付けられているものとする。
【００３２】
しかして施工が完了し、これにより第１の基礎見切り５と第２の基礎見切り６とは隅部２において平面視Ｌ字状をなすように連結されることとなる。なお上記第１の隅用見切り材７及び第２の隅用見切り材８の夫々は、釘打ちによりその延設片２６の縦片状部３９を外壁５０の隅部２の屋外側の面に取付け固定しても良いものとする。また施工後の第１の基礎見切り５、第２の基礎見切り６、第１の隅用見切り材７、第２の隅用見切り材８の夫々の下部縦片部３３の下端は基礎１の上面よりも下方に突出して基礎１の上部の屋外側の面を覆うものであり、また施工後の第１の基礎見切り５、第２の基礎見切り６、の下部横片部３４は前記下部縦片部３３と基礎１の屋外側の面との間に形成された隙間５２を覆うものである。
【００３３】
このように取付けられた第１の基礎見切り５、第２の基礎見切り６、第１の隅用見切り材７、第２の隅用見切り材８は、前述したように縦断面が同一であるため、第１の基礎見切り５の外面と第１の隅用見切り材７の外面及び第２の基礎見切り６の外面と第２の隅用見切り材８の外面とが面一となるように夫々突き合わされ、また第１の隅用見切り材７及び第２の隅用見切り材８の材質は第１の基礎見切り５及び第２の基礎見切り６の材質と同じアルミニウム又はアルミニウム合金であるため、第１の基礎見切り５と第２の基礎見切り６とが連続したような外観とすることができ、これにより外観を大きく向上できる。さらには第１の隅用見切り材７及び第２の隅用見切り材８は共に材質が同じで縦断面同一の押出形材２２から成るため、第１の隅用見切り材７及び第２の隅用見切り材８を製造するための新たな製造設備を設ける必要がなく、製造コストを削減でき、またこれにより第１の基礎見切り５、第２の基礎見切り６、第１の隅用見切り材７、第２の隅用見切り材８は同一条件で製造できて寸法誤差が小さいものとでき、この点から第１の基礎見切り５の外面と第１の隅用見切り材７の外面及び第２の基礎見切り６の外面と第２の隅用見切り材８の外面を一層面一とできる。さらには上記のように基礎見切り５、６を形成する押出形材２２と縦断面及び材質が同一の押出形材２２を切断するだけで第１の隅用見切り材７及び第２の隅用見切り材８が得られるようにしたにも関わらず、この第１の隅用見切り材７と第２の隅用見切り材８との連結は上記平面視Ｌ字状で且つ垂直板状及び水平板状の連結部材４３ａ、４３ｂを用いるだけで簡単に行うことができる。
【００３４】
また本実施形態では、上記第１の隅用見切り材７及び第２の隅用見切り材８の嵌込部２１として、第１の隅用見切り材７及び第２の隅用見切り材８の夫々の内面に縦断面縦長の縦長嵌込部２１ａと縦断面横長の横長嵌込部２１ｂを形成し、平面視Ｌ字状で且つ垂直板状の第１の連結部材４３ａの一片４６を第１の隅用見切り材７の縦長嵌込部２１ａに嵌め込み且つ他片４７を第２の隅用見切り材８の縦長嵌込部２１ａに嵌め込むと共に、平面視Ｌ字状で且つ水平板状の第２の連結部材４３ｂの一片４８を第１の隅用見切り材７の横長嵌込部２１ｂに嵌め込み且つ他片４９を第２の隅用見切り材８の横長嵌込部２１ｂに嵌め込んでいるため、第１の隅用見切り材７及び第２の隅用見切り材８を平面視Ｌ字状で且つ垂直板状の上下方向に変形し難い第１の連結部材４３ａと平面視Ｌ字状で且つ水平板状の水平方向に変形し難い第２の連結部材４３ｂとで連結することができ、これにより第１の隅用見切り材７と第２の隅用見切り材８との連結を単純な形状の連結部材４３ａ、４３ｂを用いて強固にできる。
【００３５】
また本実施形態では第１の基礎見切り５と第１の隅用見切り材７、及び第２の基礎見切り６と第２の隅用見切り材８も、上記第１の隅用見切り材７と第２の隅用見切り材８と同様に、直線状且つ垂直板状の上下方向に変形し難い第１の接続部材４２ａ及び第３の接続部材４２ｃと、直線状且つ水平板状の水平方向に変形し難い第２の接続部材４２ｂ及び第４の接続部材４２ｄとで連結することができ、これにより第１の基礎見切り５と第１の隅用見切り材７、及び第２の基礎見切り６と第２の隅用見切り材８の連結を単純な形状の接続部材４２ａ〜ｄを用いて強固にできる。
【００３６】
なお上記では出隅からなる隅部２を挟んだ両側の外壁部３、４に沿設された第１の基礎見切り５と第２の基礎見切り６とを接続した例を示したが、図６に示すように入隅からなる隅部２を挟んだ両側の外壁部３、４に沿設された第１の基礎見切り５と第２の基礎見切り６とを接続しても良く、この場合は第１の隅用見切り材及び第２の隅用見切り材として前述した入隅用の第１の隅用見切り材７′及び第２の隅用見切り材８′を用いるものである。
【００３７】
また上記では接続部材として垂直板状の接続部材４２ａ、４２ｃ及び水平板状の接続部材４２ｂ、４２ｄを用いたが接続部材としては垂直板状の接続部材４２ａ、４２ｃのみを用いても良いし、水平板状の接続部材４２ｂ、４２ｄのみを用いても良く、また連結部材として垂直板状の連結部材４３ａと、水平板状の連結部材４３ｂとを用いたが、垂直板状の連結部材４３ａのみを用いても良いし、また水平板状の連結部材４３ｂのみを用いても良い。また上記では第１の基礎見切り５の隅部２側の端面を第２の基礎見切り６を取付けた外壁部４の屋外側の面よりもやや屋内側に控えた箇所に位置させ、第２の基礎見切り６の隅部２側の端面を第１の基礎見切り５を取付けた外壁部３の屋外側の面よりもやや屋内側にやや控えた箇所に位置させ、第１の隅用見切り材７及び第２の隅用見切り材８をともに平面視で台形状としたが、第１の基礎見切り５の隅部２側の端面を第２の基礎見切り６を取付けた外壁部４の屋外側の面と面一とし、第２の基礎見切り６の隅部２側の端面を第１の基礎見切り５を取付けた外壁部３の屋外側の面と面一とし、第１の隅用見切り材７及び第２の隅用見切り材８をともに平面視で直角三角形状としても良い。また上記では押出形材２２の縦長嵌込部２１ａ及び横長嵌込部２１ｂを溝としたがこれら嵌込部２１は孔であっても良い。
【図面の簡単な説明】
【００３８】
【図１】本発明の実施の形態の一例を示し、図は建物の出隅部分を示す水平断面図である。
【図２】同上の基礎見切りの取付け構造を示す縦断面図である。
【図３】同上の基礎見切りの平面図である。
【図４】同上の押出形材の縦断面図である。
【図５】同上の押出形材の平面図である。
【図６】他の実施の形態の一例を示し、図は建物の入隅部分を示す水平断面図である。
【符号の説明】
【００３９】
１  基礎
２  隅部
３  一方の外壁部
４  他方の外壁部
５  第１の基礎見切り
６  第２の基礎見切り
７  第１の隅用見切り材
７ａ  垂直端面
７ｂ  傾斜端面
８  第２の隅用見切り材
８ａ  垂直端面
８ｂ  傾斜端面
２１  嵌込部
２１ａ  縦長嵌込部
２１ｂ  横長嵌込部
２２  押出形材
４２ａ  第１の接続部材
４２ｂ  第２の接続部材
４３ｃ  第３の接続部材
４３ｄ  第４の接続部材
４３ａ  第１の連結部材
４３ｂ  第２の連結部材
５０  外壁
【図１】
2006125045.tif 000003
【図２】
2006125045.tif 000004
【図３】
2006125045.tif 000005
【図４】
2006125045.tif 000006
【図５】
2006125045.tif 000007
【図６】
2006125045.tif 000008